(57)【特許請求の範囲】
【請求項１】
プレパラート収納マッペに収納されたプレパラートを保護するためのマッペカバーであって、
プレパラート収納マッペの上面を覆う上面部と、
当該マッペカバーをプレパラート収納マッペに着設するための着設部を有し、
着設部が下部と側部とからなり、
下部は、プレパラート収納マッペの下面であって、対向する一対の辺の縁部に沿うように構成されており、
側部は上面部と下部を連結し、
上面部の裏面であって、マッペにおけるプレパラート収納部の４隅に相当する位置に、突起が形成されていることを特徴とするマッペカバー。
【請求項２】
着設部が上面部の端部に設けられたヒンジ構造であることを特徴とする請求項１に記載のマッペカバー。
【請求項３】
上面部の裏面であって、マッペに収納されたプレパラートが配置される位置に、プレパラートを押圧するための押え部が設けられることを特徴とする請求項２に記載のマッペカバー。
【発明の詳細な説明】
【技術分野】
【０００１】
本発明は、プレパラート収納マッペに収納されたプレパラートを保護するためのマッペカバーに関し、更に詳しくは、プレパラート収納マッペに取り付けてプレパラートの上面を覆うことにより、取り扱い性を高めるとともに、プレパラートの破損や散乱を防止するマッペカバーに関する。
【背景技術】
【０００２】
従来より、病理検査標本等のプレパラートを横方向にならべて載置するために、プレパラート収納マッペ（以後、単にマッペと称することがある）と呼ばれるトレイ状の容器が使用されている。マッペとしては、平たい板にプレパラートが一枚だけ入る大きさの凹状の収容室が多数配列されている構造をしたもの（例えば特許文献１）や、２枚以上のプレパラートを並列収容できる凹状の収容室を設けた構造のもの（例えば特許文献２）などがある。
【０００３】
このようなマッペを利用すれば、スライドガラスを多数広げてそれぞれに病理細胞などの標本を乗せることにより、一度に多数のプレパラートを作成することができる。しかしながら、プレパラートが収容された状態でマッペを移動又は保管する場合、プレパラートがマッペから落ちないように、細心の注意を払って常に水平状態を保つ必要があった。また、移動中や取り扱い中にマッペを誤って落下した場合は、プレパラートが破損したり、破損がない場合でもプレパラートが床等に散乱してしまい、元通りにプレパラートを並べなおす手間が煩雑であった。
【先行技術文献】
【特許文献】
【０００４】
【特許文献１】特開平７−２９１３８６号公報
【特許文献２】特開平８−３３７２７９号公報
【発明の概要】
【発明が解決しようとする課題】
【０００５】
本発明は、上記の如き問題を解消し、マッペを常に水平状態に保つ必要がなく、従って、取り扱い性が良好で、また誤って落下させた場合でもプレパラートが破損したり散乱することのないマッペカバーを提供するものである。
【課題を解決するための手段】
【０００６】
上記目的を達成するための本発明の特徴は、プレパラート収納マッペに収納されたプレパラートを保護するためのマッペカバーであって、プレパラート収納マッペの上面を覆う上面部と、当該マッペカバーをプレパラート収納マッペに着設するための着設部を有し、着設部が下部と側部とからなり、下部は、プレパラート収納マッペの下面であって、対向する一対の辺の縁部に沿うように構成されており、側部は上面部と下部を連結し、上面部の裏面であって、マッペにおけるプレパラート収納部の４隅に相当する位置に、突起が形成されているマッペカバーを内容とする。
【０００９】
本発明の更に別の特徴は、前記着設部が前記上面部の端部に設けられたヒンジ構造である上記のマッペカバーを内容とする。
【００１０】
本発明の更に別の特徴は、上面部の裏面であって、マッペに収納されたプレパラートが配置される位置に、プレパラートを押圧するための押え部が設けられる上記のマッペカバーを内容とする。
【発明の効果】
【００１１】
本発明のマッペカバーは、マッペの上面を覆う上面部を着設部により着設することが出来るので、この上面部によりプレパラートを好適に保持し、例えば収納棚や収納ケース内に立てた状態で保存することができるので取り扱い性が良く、また誤って落下させた場合でもプレパラートが破損したり散乱しない。
【００１２】
着設部を、プレパラート収納マッペの下面であって対向する一対の辺の縁部に沿うように構成された下部と、前記上面部及び下部を連結する側部から構成すれば、マッペカバーを既存のマッペの横方向からスライド状に着設することができるので、マッペカバーを着脱する際に大きなスペースが不要である。
また、上面部の裏面であって、マッペにおけるプレパラート収納部の４隅に相当する位置に突起を設ければ、マッペの上面が覆われた状態でマッペカバーを係止することが出来る。
【００１３】
着設部を上面部の端部に設けられたヒンジ構造とすれば、マッペカバーの開閉が容易で、使用しやすくなる。
また、上面部の裏面であって、マッペに収納されたプレパラートが配置される位置に、プレパラートを押圧するための押え部を設ければ、マッペカバーを閉じた際に押え部がプレパラートを押圧して搖動を防ぐので、保管、運搬の際にプレパラートが破損したり、順番が入れ替わったりするトラブルがなくなる。
【図面の簡単な説明】
【００１４】
【図１】図１は本発明のマッペカバーの一例を示す説明図であり、（ａ）は平面図、（ｂ）は側面図である。
【図２】図２は図１のマッペカバーをマッペに装着した状態を示す説明図である。
【図３】図３は本発明のマッペカバーの別例を示す説明図であり、（ａ）は平面図、（ｂ）は側面図である。
【図４】図４は図３のマッペカバーをマッペに装着した状態を示す説明図である。
【図５】図５は本発明のマッペカバーの更に別例を示す平面図である。
【図６】図６は図５のマッペカバーをマッペに装着した状態を示す平面図である。
【図７】図７は図６において、マッペカバーを少し開いた状態を示す概略図である。
【図８】図８は本発明のマッペカバーの更に別例を示す平面図である。
【図９】図９は図８のマッペカバーをマッペに装着した状態を示す平面図である。
【図１０】図１０は図９において、マッペカバーを少し開いた状態を示す概略図である。
【発明を実施するための形態】
【００１５】
本発明のマッペカバー１は、プレパラート収納マッペ４に収納されたプレパラートを保護するためのものであって、図１、図２に示すように、プレパラート収納マッペ４の上面を覆う上面部２と、当該マッペカバー１をプレパラート収納マッペ４に着設するための着設部３を有することを特徴とする。
図１のプレパラート収納マッペ１は、上下２段にプレパラート収納部４ａを備えている例で、４ｄはプレパラートを取り出すための手指挿入凹部である。
【００１６】
本発明におけるマッペカバー１の上面部２は、例えば図１に示すように、実質的に平板状の部材であって、図２に示すように、マッペ４の表面を覆うことによりプレパラート（図示せず）を保護するための部分である。マッペ４の表面を上面部２で覆えば、プレパラートがマッペ４から離脱することがなくなるため、例えばプレパラートが収容された状態で収納棚や収納ケース内に立てて保管することも可能になり取り扱い性が良く、また誤って落下させた場合でも、プレパラートが破損したり、散乱することがない。
【００１７】
マッペカバー１の上面部２には、本発明の機能を妨げない限り、付加的な構造を設けることもできる。例えば図１及び図２に示した例では、上面部２の裏側４角に突起２ａが設けられているが、この突起２ａはマッペ４にマッペカバー１を装着したときに、マッペ４のプレパラート収納部４ａの４隅４ｂに配置されて、マッペカバー１を適切な位置で係止し不用意に動かないように構成されている。
あるいは、後述の如く、マッペに収納されたプレパラートが配置される位置に、プレパラートを押圧するための押え部２ｂを設けてもよい。
【００１８】
本発明における着設部３は、マッペカバー１をマッペ４に着設するためのものである。具体的な構造は特に限定されないが、例えば図１及び図２に示すように、マッペ４の下面であって対向する一対の辺の縁部に沿うように構成された下部３ａと、前記上面部２及び前記下部３ａを連結する側部３ｂからなるものが例示できる。このような着設部３を採用すれば、マッペカバー１の一端部からマッペ４を差し込むことにより、スライド状にマッペカバー１をマッペ４に装着することができる。
なお、着設部３が下部３ａと側部３ｂから形成される場合、下部３ａは１対の辺の縁部を含む部分に沿ってコの字状に設けられていればよいが、例えば図３及び図４に示すように、マッペ４の下面全面に沿って筒状に設けられていてもよい。但し、側部３ｂについては２対の辺のうち、いずれか１対のみに設けられている必要がある。
また、図示しないが、本発明において着設部３の下部３ａはマッペ４下面の縁部全体に沿っている必要はなく、部分的、例えばマッペ下面の４隅の部分のみに設けられていてもよい。
【００１９】
本発明で用いる着設部３の他の例として、図５乃至図７に示すように、上面部２の端部に設けられたヒンジ構造３ｃが例示できる。図示した例では、上面部２の上端両脇にネジを挿通する孔が穿設されたヒンジ用舌片（構造）３ｃが設けられ、この孔に挿通したネジをマッペ４に打ち込むことにより、ヒンジ構造が形成されているが、これに限定されず、一般的な全てのヒンジ構造が、本発明におけるヒンジ構造として採用できる。
なお、図示した例では上面部２の下端両脇には係止用舌片２ｃが設けられている。この係止用舌片２ｃの中央部には突起２ｄが設けられており、マッペ４の側面に穿設された窪み４ｃと係合することにより、不用意にマッペカバー１が開くのが防止される（図７）。図中、３ｄは把持部である。
【００２０】
図５乃至図７に示した例においては、マッペカバー１の上面部２の裏面にはさらに押え部２ｂが設けられている。この押え部２ｂはマッペ４に収納されたプレパラートが容易に離脱しないように、あるいはプレパラートがマッペ内で搖動しないように、プレパラートを押えるためのもので、好ましい態様である。押え部２ｂの形状についてはプレパラートを好適に抑えることが出来る限り特に限定されないが、図５乃至図７に示した例では上下２段のプレパラート収納部４ａのそれぞれ全体にわたって押え部２ｂが設けられている。このようなマッペカバー１はプレパラート収納部４ａがプレパラート一枚づつ区切られていないマッペ４に対して好適に使用できる。
【００２１】
図８乃至図１０に示した例も、前述の例と同様、着設部３がヒンジ構造３ｃになっており、マッペカバー１の上面部２の裏面に押え部２ｂが設けられているが、押え部２ｂの形状が前述の例と異なる。
本例においては、プレパラート収納部４ａがプレパラート一枚づつ区切られているマッペが使用されており、それに応じて押え部２ｂもプレパラート一枚づつ区切られている。また、プレパラートの中央部には薄くて割れやすいカバーガラスが張り付けられており、押え部２ｂで直接押えればカバーガラスが割れる危険性があるため、プレパラートの端部付近を押え、カバーガラスを避けるように構成されている。
尚、必要に応じ、押え部２ｂを軟質の樹脂や発泡樹脂、ゴム等の軟質素材で作ることができ、また、押え部の表面に軟質素材を貼着することも可能である。
【００２２】
マッペカバー１の材質は特に限定されないが、透明材料を使用すればプレパラートがマッペカバー１により保護された状態でプレパラートを観察できるので好ましい。具体的には、ポリメチルペンテン（ＴＰＸ）、ポリメタクリル酸メチル（ＰＭＭＡ）、ポリスチレン（ＰＳ）、アクリロニトリル・スチレン樹脂（ＡＳ）、ポリエチレンテレフタレート（ＰＥＴ）、ポリエチレンナフタレート（ＰＥＮ）、ポリフェニレンスルフィド（ＰＰＳ）、ポリカーボネート（ＰＣ）、ポリアリレート（ＰＡｒ）、ポリスルホン（ＰＳＦ）、ポリアミド（ＰＡ）、ポリエーテルスルホン（ＰＥＳ）、ポリエーテルイミド（ＰＥＩ）、シクロオレフィンポリマー（ＣＯＰ）、透明ポリイミド（ＰＩ）等の合成樹脂が挙げられる。
【産業上の利用可能性】
【００２３】
叙上のとおり、本発明のマッペカバーは、プレパラート収納マッペの上面を覆うことにより収納されたマッペを好適に保護し、取り扱い性を高めるとともに、破損や散乱を防ぐことができる、極めて有用性が高いものである。
【符号の説明】
【００２４】
１  マッペカバー
２  上面部
２ａ  突起
２ｂ  押え部
２ｃ  係止用舌片
２ｄ  突起
３  着設部
３ａ  下部
３ｂ  側部
３ｃ  ヒンジ用舌片（ヒンジ構造）
３ｄ  把持部
４  プレパラート収納マッペ
４ａ  プレパラート収納部
４ｂ  隅
４ｃ  窪み
４ｄ  手指挿入凹部
【図１】
0006518437.tif 000002
【図２】
0006518437.tif 000003
【図３】
0006518437.tif 000004
【図４】
0006518437.tif 000005
【図５】
0006518437.tif 000006
【図６】
0006518437.tif 000007
【図７】
0006518437.tif 000008
【図８】
0006518437.tif 000009
【図９】
0006518437.tif 000010
【図１０】
0006518437.tif 000011